(57)【特許請求の範囲】
【請求項１】
既設管路内に新たな管路材を引き込むことで既設管路の補修を行う工法であって、上記既設管路内面中心側から順に加熱層、保温層および保護層をそれぞれ重畳された保温性材料からなる保護部材を上記管路材外周面に設け、上記保護部材を発熱させることにより上記管路材を軟化させながら該保護部材とともに上記管路材を牽引して該管路材を上記既設管路内に引き込むことを特徴とする既設管路の補修工法。
【請求項２】
請求項１記載の既設管路の補修工法において、
上記加熱層には、誘電加熱あるいは抵抗加熱が可能な金属材が含まれていることを特徴とする既設管路の補修工法。
【請求項３】
請求項１記載の既設管路の補修工法において、
上記新たに引き込まれる管路材は上記保護部材による加熱によって軟化すると、上記既設管路の敷設形態に応じて変形可能な材料が用いられることを特徴とする既設管路の補修工法。
【請求項４】
請求項３記載の既設管路の補修工法において、
上記管路材には熱可塑性樹脂材が用いられることを特徴とする既設管路の補修工法。
【発明の詳細な説明】
【０００１】
【産業上の利用分野】
本発明は、既設管の補修工法に関し、さらに詳しくは、老朽管内に新たな管路材を引き込むための工法に関する。
【０００２】
【従来の技術】
地中に埋設されている鋳鉄管などの金属製管路においては、経年劣化等によって一部に腐食穴が発生するとその部分からガスなどの漏洩を招く。
そこで、従来では、このような箇所を対象として補修工事が行われるが、その工事方法としては、熱可塑性の樹脂チューブを内面に挿通し、工事箇所にて拡径させて内面に樹脂チューブを貼着させる方法や、内面に樹脂ライニングを施すなどの方法がある。
上記両方法においては、いずれの場合にも材料が既設管内面に接着されて一体化されるようになっている。
【０００３】
【発明が解決しようとする課題】
ところで、内面に位置する樹脂チューブや樹脂ライニング膜は内面に接触されているものの、接着力が低下した場合には既設管内部に止まって管内を塞いでしまう虞がある。
特に、熱可塑性樹脂チューブを被覆する場合には、熱源としてのプロパンガスを準備する必要があるばかりでなく、作業に熟練が必要となり、作業性が悪い。しかも、管路内に流れるガスの近傍で熱源となる火気を使用することになり、漏洩しているガスとの関係で作業上、危険が伴い好ましくない。
そこで、老朽化した既設管路内に新たな管路材を既設管路内に引き込むインサーション工法が知られている。
インサーション工法には、次の種類がある。
第１の工法としては、図４に示すように、既設管路Ｐ内部に熱可塑性樹脂からなる管路材Ｐ１をＵ字状に折り畳んだ状態で引き込み（図４（Ａ）参照）、既設管路Ｐ内に引き込まれた管路材Ｐ１内に高温蒸気を導入して膨張させることにより、図４（Ｂ）に示すように、既設管路内面の形状に倣わせるようにした工法がある。
第２の工法としては、図５に示すように、既設管路Ｐよりも小径の管路材Ｐ２を直接既設管路Ｐ内に引き込む工法がある。
【０００４】
第１の工法では、既設管路内に引き込まれる管路材が折り畳まれて既設管路内面との接触面積を小さくされることにより引き込み時での摺擦抵抗が小さく、引き込み作業が容易となる反面、蒸気圧を利用することから膨張率が高くなることにより例えば、１００ｍｍ以上の口径を対象とする場合に限られ、さらには、蒸気を供給するための設備が大がかりとなる虞がある。
第２の工法では、上述した摺擦抵抗は多くなるものの、蒸気を用いる必要がないことから設備が簡略化できる反面、既設管路よりも小径の管路材を用いることから流量低下が著しくなる虞がある。
さらに、８０Ａ以下の小口径管からなる既設管路において上述した工法を適用する場合には、既設管路の曲率半径が小さいと、引き込みにくくなり、曲部が多くなればなるほど新たな管路材の引き込みが難しくなる虞がある。
【０００５】
本発明の目的は、上記従来の既設管路の補修工法における問題に鑑み、簡単な設備により曲部の数に関係なく新たな管路材の引き込みが容易に行えるとともに、流量低下を少なくすることができる既設管路の補修工法を提供することにある。
【０００６】
【課題を解決するための手段】
この目的を達成するため、請求項１記載の発明は、既設管路内に新たな管路材を引き込むことで既設管路の補修を行う工法であって、上記既設管路内面中心側から順に加熱層、保温層および保護層をそれぞれ重畳された保温性材料からなる保護部材を上記管路材外周面に設け、上記保護部材を発熱させることにより上記管路材を軟化させながら該保護部材とともに上記管路材を牽引して該管路材を上記既設管路内に引き込むことを特徴としている。
【０００７】
請求項２記載の発明は、請求項１記載の既設管路の補修工法において、上記加熱層には、誘電加熱あるいは抵抗加熱が可能な金属材が含まれていることを特徴としている。
【０００８】
請求項３記載の発明は、請求項１記載の既設管路の補修工法において、上記新たに引き込まれる管路材は上記保護部材による加熱によって軟化すると、上記既設管路の敷設形態に応じて変形可能な材料が用いられることを特徴としている。
【０００９】
請求項４記載の発明は、請求項３記載の既設管路の補修工法において、
上記管路材には熱可塑性樹脂材が用いられることを特徴としている。
【００１０】
【作用】
請求項１乃至４記載の発明では、発熱可能な保護部材が管路材に被覆されているので、管路材を軟化させながら保護部材と管路材とを牽引すると、既設管路の敷設形態に応じて管路材を変形させることができる。特に、既設管路に曲部が存在しているような場合には、軟化した管路材がその曲部に沿った形状に変形できるので、曲部での挿通性を向上させることができる。しかも、既設管路内に引き込まれる際の管路材の外周面には、保護部材に有する保護層が既設管路の内周面に対向するので、管路材の引き込み時には管路材の外周面が保護されて損傷なく引き込まれることになる。
さらに、管路材とともに引き込まれる保護部材は、加熱層に金属材料が含まれているので、管路材とともに牽引されて引き込まれた場合でも引っ張り強度が確保される。このため、軟化して展伸しやすい状態となっている管路材に機械的な裂断や伸び等の変形が生じるのを防ぐことができる。
【００１１】
【発明の実施の形態】
以下、図示実施例により本発明の実施の形態を説明する。
図１および図２は、本発明実施例による補修工法の施工状態を示す側面視的な断面図であり、同図において既設管路２の内部には、保護部材１とともに管路材５が引き込まれて配置される。なお、図２は、既設管路２の正面視の断面図である。
【００１２】
保護部材１は、新たに引き込まれる管路材５の外周面に被覆された状態で設けられており、その構成が図３に示されている。
保護部材１は、既設管路２内に引き込まれる管路材５の加温および保護を兼ねた部材であり、既設管路２の内面側（管路中心側）から順に、加熱層１Ａ、保温層１Ｂおよび保護層１Ｃをそれぞれ備えた熱可塑性樹脂で構成されたパイプ部材で構成され、管路材５の外周面に一体成形などによって被覆されている。
加熱層１Ａには、電源ボックス３に接続された給電線４が接続されており、電源ボックス３からの給電により発熱することができる。このため、加熱層１Ａには、抵抗加熱あるいは誘電加熱が可能な金属をはじめとする材料が用いられたり、あるいは骨材としてその金属を含む樹脂が用いられる。本実施例では、加熱層１Ａでの発熱による温度が４０〜８０℃に維持されるようになっている。
【００１３】
保温層１Ｂにはポリアミドあるいはポリエチレンなどの熱伝導率が高く保温効果の高い材質が用いられ、加熱層１Ａにおいて発生した熱による温度を維持させるようになっている。
保護層１Ｃの外周面は、既設管路２の内周面との間での摺擦抵抗を小さくするための処理が施されており、本実施例では、平滑化処理あるいはフッ素樹脂などの耐熱性低摩擦部材が設けられている。
上記各層を備えた保護部材１は、既設管路２あるいは管路材５の肉厚よりも薄くされ、既設管路２の内径と管路材５の内径との差が小さくなるようにされている。
【００１４】
本実施例は、以上のような構成の保護部材１を用いて次の手順により新たな管路材５を既設管路２内に引き込むようになっている。
（１）図１および図２に示すように、既設管路２に引き込まれる管路材５は、その外周面に保護部材１が被覆されたものが準備される。
保護部材１は、肉厚を薄くされていることにより、既設管路２の内径と新たに引き込まれる管路材５の内径との差を小さくすることができる。これにより、管路材５が引き込まれた際の流量差を小さくすることができる。さらに、薄肉であることで屈曲性も満足できるので、既設管路２の曲部での挿通性も向上させることができる。
（２）保護部材１の加熱層１Ａに対して給電し、表面温度を４０〜８０℃に維持する。
（３）保護部材１の温度を維持した状態で管路材５を既設管路２の内部に引き込む。
この場合には、管路材５とともに保護部材１が牽引されて既設管路内に引き込まれるが、管路材１の外周面が保護部材１により保護され、保護部材１の保護層１Ｃが既設管路２の内周面との間の摺擦抵抗を小さくする処理が施されているので、管路材５が損傷することなく、かつ摺擦抵抗を小さくした状態で引き込むことができる。
管路材５は、保護部材１の加熱層１Ａからの熱伝達により昇温するので、熱的な塑性変形が可能となる。このため、既設管路２の形態、例えば、曲部が存在している場合でも、軟化した状態で塑性変形できるので、曲部に沿って容易に挿通することができる。
【００１５】
本実施例によれば、加熱層１Ａとして金属材料あるいは金属を骨材として含む樹脂が用いられ、いずれの場合には剛性の高い材質が存在しているので、管路材５が軟化することにより展伸しやすい状態となっても、保護部材１の剛性により展伸などの変形を防止しながら牽引することができる。これにより、管路材５が展伸した場合に発生する裂断が防がれるとともに内径変化による流量差の変化を未然に防止することができる。
【００１６】
【発明の効果】
請求項１乃至４記載の発明によれば、新たに引き込まれる管路材に加熱層、保温層および保護層を有した保護部材を被覆したうえで管路材とともに既設管路内に引き込む際に、保護部材の発熱により管路材を軟化させながら引き込める。このため、既設管路の敷設形態に拘わらず、管路材を敷設形態に合わせて変形させて引き込むことが可能となる。これにより、大がかりな設備を要しなくても管路材の引き込みが可能となり、さらには引き込まれる管路材が損傷することなく引き込めるので、管路材の不用意な裂断や展伸などによって管路材内での流量が変化してしまうのを防止できる状態を維持することが可能となる。
【図面の簡単な説明】
【図１】本発明実施例による補修工法の実行状態を説明するための既設管路の側面視的な断面図である。
【図２】図１に示した既設管路を正面から見た場合の断面図である。
【図３】図１に示した補修工法に用いられる保護部材の構成を説明するための断面図であり、（Ａ）は側面視的な断面図。（Ｂ）は正面から見た断面図である。
【図４】既設管路の補修工法に関する従来例を示す模式図である。
【図５】既設管路の補修工法に関する他の従来例を示す模式図である。
【符号の説明】
１          保護部材
１Ａ        加熱層
１Ｂ        保温層
１Ｃ        保護層
２          既設管路
３          電源ボックス
４          給電線
５          管路材
【図１】
0003699333.tif 000002
【図２】
0003699333.tif 000003
【図３】
0003699333.tif 000004
【図４】
0003699333.tif 000005
【図５】
0003699333.tif 000006